(57)【要約】【課題】ディスプレイの折り曲げによる耐久性に問題が生じることを低減する携帯機器を提供すること。【解決手段】可撓性を有する表示部２１と、表示部２１に積層される弾性体２２と、弾性体２２に積層される可撓性を有するタッチパネル２３とから構成される表示ユニット１１と、第１筐体１２と、第２筐体１３と、第１筐体１２と第２筐体１３とを開閉可能に連結する連結部１４と、を備える。表示ユニット１１は、第１筐体１２から第２筐体１３に亘って設けられる。表示ユニット１１の一端側は、第１筐体１２に取り付けられる。表示ユニット１１の他端側は、連結部１４が閉状態から開状態へ遷移する場合、第２筐体１３の連結部１４に連結されていない側面方向に移動し、連結部１４が開状態から閉状態へ遷移する場合、第２筐体１３の連結部１４に連結されている側面方向に移動するように取り付けられる。【選択図】図１
2014165749.tif 000002
【特許請求の範囲】
【請求項１】
可撓性を有する表示部と、前記表示部に積層される弾性体と、前記弾性体に積層される可撓性を有するタッチパネルと、から構成される表示ユニットと、
第１筐体と、
第２筐体と、
前記第１筐体と前記第２筐体とを開閉可能に連結する連結部と、を備え、
前記表示ユニットは、前記第１筐体から前記第２筐体に亘って設けられ、
前記表示ユニットの一端側は、前記第１筐体に取り付けられ、
前記表示ユニットの他端側は、前記連結部が閉状態から開状態へ遷移する場合、前記第２筐体の前記連結部に連結されていない側面方向に移動し、前記連結部が開状態から閉状態へ遷移する場合、前記第２筐体の前記連結部に連結されている側面方向に移動するように取り付けられる携帯機器。
【請求項２】
可撓性を有する表示部と、前記表示部に積層される弾性体と、前記弾性体に積層される可撓性を有するタッチパネルと、から構成される表示ユニットを備える携帯機器。
【請求項３】
前記弾性体は、ゲルである請求項１又は２に記載の携帯機器。
【請求項４】
前記弾性体は、透過性を有する請求項１から３のいずれか一項に記載の携帯機器。
【請求項５】
第１筐体と、
第２筐体と、
前記第１筐体と前記第２筐体とを開閉可能に連結する連結部と、をさらに備え、
前記表示ユニットは、前記第１筐体から前記第２筐体に亘って設けられ、
前記表示ユニットの一端側は、前記第１筐体の前記連結部に連結されていない側面に取り付けられ、
前記表示ユニットの他端側は、前記連結部が閉状態から開状態へ遷移する場合、前記第２筐体の前記連結部に連結されていない側面方向に移動し、前記連結部が開状態から閉状態へ遷移する場合、前記第２筐体の前記連結部に連結されている側面方向に移動するように取り付けられる請求項２から４のいずれか一項に記載の携帯機器。
【請求項６】
前記表示ユニットの他端側は、ホルダに装着され、
前記第２筐体は、前記ホルダが前記第２筐体の前記連結部側から前記連結部に連結されていない側への方向又はその逆の方向に移動するためのレールが設けられる請求項５に記載の携帯機器。
【請求項７】
前記表示ユニットが折り曲げられたことを検出する折り曲げ検出部と、
前記折り曲げ検出部によって折り曲げが検出された場合に、前記タッチパネルに対する接触位置を当該検出された折り曲げに応じて補正する制御部と、をさらに備える請求項１から６のいずれか一項に記載の携帯機器。
【請求項８】
前記折り曲げ検出部は、折り曲げ角度を検出する角度センサであって、
前記制御部は、前記角度センサによって検出された折り曲げ角度に応じて前記接触位置を補正する請求項７に記載の携帯機器。
【請求項９】
前記第１筐体と前記第２筐体とが閉状態から開状態へ遷移する際に、前記ホルダを前記第２筐体の前記連結部に連結されていない側面方向に移動するように付勢する付勢部材をさらに備える請求項６に記載の携帯機器。
【発明の詳細な説明】
【技術分野】
【０００１】
本発明は、表示を行う携帯機器に関する。
【背景技術】
【０００２】
キーボード等の入力操作部とディスプレイとを備え、キーボードやディスプレイを折畳可能に構成した各種の携帯型電子機器が提案されている。
例えば、特許文献１では、ディスプレイが折り畳み可能に構成されている。
【先行技術文献】
【特許文献】
【０００３】
【特許文献１】特開２００４−１０９３８２号公報
【発明の概要】
【発明が解決しようとする課題】
【０００４】
ところで、特許文献１のような機器では、使用時において、折り畳んだ状態と開放した状態に頻繁に遷移させられるため、ディスプレイの折り曲げによる耐久性に問題が生じる虞がある。
【０００５】
本発明では、フレキシブルディスプレイを採用し、ディスプレイの折り曲げによる耐久性に問題が生じることを低減する携帯機器を提供することを一つの目的とする。
【課題を解決するための手段】
【０００６】
本発明に係る携帯機器は、可撓性を有する表示部と、前記表示部に積層される弾性体と、前記弾性体に積層される可撓性を有するタッチパネルと、から構成される表示ユニットと、第１筐体と、第２筐体と、前記第１筐体と前記第２筐体とを開閉可能に連結する連結部と、を備え、前記表示ユニットは、前記第１筐体から前記第２筐体に亘って設けられ、前記表示ユニットの一端側は、前記第１筐体に取り付けられ、前記表示ユニットの他端側は、前記連結部が閉状態から開状態へ遷移する場合、前記第２筐体の前記連結部に連結されていない側面方向に移動し、前記連結部が開状態から閉状態へ遷移する場合、前記第２筐体の前記連結部に連結されている側面方向に移動するように取り付けられる構成である。
【０００７】
携帯機器では、可撓性を有する表示部と、前記表示部に積層される弾性体と、前記弾性体に積層される可撓性を有するタッチパネルと、から構成される表示ユニットを備える構成でもよい。
【０００８】
携帯機器では、前記弾性体は、ゲルであってもよい。
【０００９】
携帯機器では、前記弾性体は、透過性を有する構成でもよい。
【００１０】
携帯機器では、第１筐体と、第２筐体と、前記第１筐体と前記第２筐体とを開閉可能に連結する連結部と、をさらに備え、前記表示ユニットは、前記第１筐体から前記第２筐体に亘って設けられ、前記表示ユニットの一端側は、前記第１筐体の前記連結部に連結されていない側面に取り付けられ、前記表示ユニットの他端側は、前記連結部が閉状態から開状態へ遷移する場合、前記第２筐体の前記連結部に連結されていない側面方向に移動し、前記連結部が開状態から閉状態へ遷移する場合、前記第２筐体の前記連結部に連結されている側面方向に移動するように取り付けられる構成でもよい。
【００１１】
携帯機器では、前記表示ユニットの他端側は、ホルダに装着され、前記第２筐体は、前記ホルダが前記第２筐体の前記連結部側から前記連結部に連結されていない側への方向又はその逆の方向に移動するためのレールが設けられる構成でもよい。
【００１２】
携帯機器では、前記表示ユニットが折り曲げられたことを検出する折り曲げ検出部と、前記折り曲げ検出部によって折り曲げが検出された場合に、前記タッチパネルに対する接触位置を当該検出された折り曲げに応じて補正する制御部とを備える構成でもよい。
【００１３】
携帯機器では、前記折り曲げ検出部は、折り曲げ角度を検出する角度センサであって、前記制御部は、前記角度センサによって検出された折り曲げ角度に応じて前記接触位置を補正する構成でもよい。
【００１４】
携帯機器では前記第１筐体と前記第２筐体とが閉状態から開状態へ遷移する際に、前記ホルダを前記第２筐体の前記連結部に連結されていない側面方向に移動するように付勢する付勢部材を備える構成でもよい。
【発明の効果】
【００１５】
本発明によれば、ディスプレイの折り曲げによる耐久性に問題が生じることを低減することができる。
【図面の簡単な説明】
【００１６】
【図１】電子機器の外観構成を示す図である。
【図２】表示ユニットの構成を示す断面図である。
【図３】電子機器の開状態から閉状態への遷移、及び閉状態から開状態への遷移についての説明に供する図である。
【図４】第１筐体と第２筐体の折り曲げ状態により生ずるタッチパネルの検出位置のずれについての説明に供する図である。
【図５】電子機器の構成を示す図である。
【図６】連結部の内部に角度センサを配置した場合の構成を示す図である。
【図７】タッチパネルの検出位置がずれた際の補正処理についての説明に供する図である。
【図８】タッチパネルの構成を示す図である。
【図９】電子機器を閉状態から開状態への遷移する際に、スライド機構をスムーズに移動させる構成についての説明に供する図である。
【図１０】電子機器を閉状態から開状態に遷移させるときの付勢機構の動作についての説明に供する図である。
【図１１】電子機器を開状態から閉状態に遷移させるときの付勢機構の動作についての説明に供する図である。
【図１２】電子機器を閉状態に維持するための構成についての説明に供する図である。
【発明を実施するための形態】
【００１７】
以下、本発明の実施形態について説明する。なお、本実施形態では、携帯機器の一例である電子機器１の構成と動作について説明する。
【００１８】
電子機器１は、図１に示すように、表示ユニット１１と、第１筐体１２と、第２筐体１３と、連結部１４と、を備える。
連結部１４は、第１筐体１２と第２筐体１３とを開閉可能に連結する。
表示ユニット１１は、第１筐体１２から第２筐体１３に亘って設けられる。
【００１９】
電子機器１は、連結部１４を介して連結された第１筐体１２と第２筐体１３とを相対的に回転することにより、図１（ａ）に示すように、第１筐体１２と第２筐体１３とを平らに開いた状態（開状態）にしたり、また、図１（ｂ）に示すように、第１筐体１２と第２筐体１３とを折り畳んだ状態（閉状態）にしたりできる。
【００２０】
なお、本実施例では、表示ユニット１１は、開状態でも閉状態でも外部に露出する構成として説明するが、これに限られない。例えば、電子機器１は、閉状態のときには表示ユニット１１を内側に折り畳んで、外部に露出させない構成でもよい。
【００２１】
表示ユニット１１は、図２に示すように、表示部２１と、表示部２１に積層される弾性体２２と、弾性体２２に積層される可撓性を有するタッチパネル２３とから構成される。
表示部２１は、可撓性を有しており、例えば、発光材料（液晶素子）をプラスチック等のフィルムで挟んだフレキシブル液晶である。
このようにして、表示ユニット１１は、全体としても可撓性を有し、例えば、曲面を保ちつつ、表示部２１に画像等を表示させることができる。
【００２２】
また、表示ユニット１１は、全体として可撓性を有するものでなくともよく、例えば、連結部１４の周辺に位置する部分だけが可撓性を有するものであって、それ以外の部分については可撓性を有するものでないもので構成されていてもよい。
【００２３】
ここで、表示ユニット１１が第１筐体１２及び第２筐体１３に取り付けられる具体的な構成について説明する。
【００２４】
表示ユニット１１の一端側１１ａは、第１筐体１２に取り付ける。
また、表示ユニット１１の他端側１１ｂは、閉状態から開状態に遷移する場合、第２筐体１３の連結部１４に連結されていない側面方向（図１（ａ）中の方向Ａ）に移動し、開状態から閉状態に遷移する場合、第２筐体１３の連結部１４に連結されている側面方向（図１（ａ）中の方向Ｂ）に移動するように取り付ける。
【００２５】
具体的には、第２筐体１３には、図１に示すように、ホルダ１３ｂが第２筐体１３の連結部１４側から連結部１４に連結されていない側への方向又はその逆の方向にスライドするためのレール１３ａが設けられる。表示ユニット１１の他端側１１ｂは、ホルダ１３ｂに固定されている。
【００２６】
このようにして、電子機器１は、ホルダ１３ｂとレール１３ａにより構成されるスライド機構を採用するので、開状態から閉状態への遷移（図３（ａ）→図３（ｂ）→図３（ｃ）→図３（ｄ））、及び閉状態から開状態への遷移（図３（ｄ）→図３（ｃ）→図３（ｂ）→図３（ａ））において、表示ユニット１１がスライドされるため、表示ユニット１１の開閉をスムーズに行うことができる。また、開状態、閉状態及び開状態と閉状態の遷移状態のうちいずれの状態においても、表示ユニットの弛みによりユーザの視認性を損なうことを低減することができる。
【００２７】
なお、本実施例では、ホルダ１３ｂとレール１３ａにより構成されるスライド機構は、第２筐体１３における、閉状態において露出する面に設けているが、当該露出する面とは反対側の面に設けてもよい。
【００２８】
また、電子機器１は、閉状態において、表示ユニット１１が連結部１４側にずれることにより、表示ユニット１１により覆われていない部分（図１（ｂ）中のｃ）が発生するが、当該部分を積極的に活用することが考えられる。例えば、当該部分は、模様等の装飾が施されてもよいし、液晶等の表示部が配置されてもよい。
【００２９】
弾性体２２は、ゲルが主成分で構成される。
ここで、可撓性を有する表示部２１（例えば、フレキシブル液晶）は、屈曲耐久が高いが、タッチパネル２３を張り合わせると、閉状態においてタッチパネル２３との接触が生じることで屈曲耐久が下がる虞がある。そこで、電子機器１は、表示部２１とタッチパネル２３の間にゲルで構成される弾性体２２を介在させることにより、弾性体２２により閉状態における撓みを吸収し、屈曲耐久の低下を低減することができる。
【００３０】
弾性体２２は、透過性を有するゲルを主成分とすることが好ましい。
このようにして、電子機器１は、ゲル（透明材の充填）によって、透過率の向上を図ることができる。それによって、表示部の視認性を向上することができる。
【００３１】
また、電子機器１は、表示部２１とタッチパネル２３の間にゲルを主成分とする弾性体２２を挟むことによって、表示部２１とタッチパネル２３の距離を安定して離すことができ、かつ、タッチパネルの感度を安定化させることもできる。
【００３２】
つぎに、第１筐体１２と第２筐体１３の折り曲げ状態により生ずるタッチパネル２３の検出位置のずれについて考察する。
表示ユニット１１には、表示部２１の厚さ（ｔ１）と、弾性体２２の厚さ（ｔ２）と、タッチパネル２３の厚さ（ｔ３）を足し合わせた分の厚さがある。
表示ユニット１１を折り曲げると、当該足し合わせた厚さによって、表面（タッチパネル２３）と裏面（表示部２１）との間で円弧長のずれが発生する。
【００３３】
例えば、表示ユニット１１を折り曲げていない状態（開状態）では、図４（ａ）に示すように、表示部２１に表示されているオブジェクトＡの真上の位置が（ｘ１、ｙ１）であっても、表示ユニット１１を折り曲げた状態（閉状態）では、図４（ｂ）に示すように、オブジェクトＡの真上の位置が（ｘ１、ｙ２）になる。これは、表示ユニット１１を折り曲げると、表示部２１とタッチパネル２３が相対的にずれるためである。
【００３４】
よって、タッチパネル２３と表示部２１の位置を合わせるキャリブレーションを表示ユニット１１が開状態のときに行って、表示ユニット１１が折り曲げられたときのずれを考慮しない場合には、以下のような問題が生じる虞がある。
【００３５】
表示ユニット１１が折り曲げられた状態（例えば、閉状態）では、タッチパネル２３と表示部２１の位置が合っていないため、ユーザがオブジェクトＡの真上の位置（ｘ１、ｙ２）に接触しても、オブジェクトＡを選択したことにならず、所望の動作が行われなくなってしまう。
【００３６】
本実施例に係る電子機器１は、第１筐体１２と第２筐体１３の開閉角度に応じて、タッチパネル２３の検出位置を適宜修正する構成を採用する。以下に、具体的な構成を示す。
電子機器１は、図５に示すように、折り曲げ検出部３１と、制御部３２と、を備える。
折り曲げ検出部３１は、表示ユニット１１が折り曲げられたことを検出する。
制御部３２は、折り曲げ検出部３１によって折り曲げが検出された場合に、タッチパネル２３に対する接触位置を当該検出された折り曲げに応じて補正する。
【００３７】
このようにして、電子機器１は、表示ユニット１１が開状態のときのタッチパネル２３の検出値を基準にして、折り曲げ検出部３１により検出された検出値を考慮して、タッチパネル２３により検出された検出値を補正する。
よって、電子機器１は、図４に示すように、表示ユニット１１を折り曲げた状態で、ユーザがオブジェクトＡの真上の位置（ｘ１、ｙ２）に接触すると、オブジェクトＡを選択したものと認識し、所望の動作を行うことができる。
【００３８】
折り曲げ検出部３１は、折り曲げ角度を検出する角度センサである。折り曲げ検出部３１は、例えば、図６に示すように、連結部１４の内部に配置される。
制御部３２は、角度センサによって検出された折り曲げ角度に応じて接触位置を補正する。
【００３９】
上述したように、表示ユニット１１には、表示部２１の厚さ（ｔ１）と、弾性体２２の厚さ（ｔ２）と、タッチパネル２３の厚さ（ｔ３）を足し合わせた分の厚さがある。表示ユニット１１を折り曲げると、表面と裏面で円弧長のずれが発生する。
このずれにより、表示ユニット１１の屈曲状態に応じて、タッチパネル２３の検出位置にずれが発生する。
【００４０】
電子機器１は、連結部１４の内部に配置した角度センサからの検出値に基づいて、タッチパネル２３により検出された検出値を補正するので、タッチパネル２３の検出位置のずれを補正することができる。
【００４１】
なお、折り曲げ検出部３１は、折り曲げ角度として、第１筐体１２と第２筐体１３の開閉角度を検出する構成でもよい。このような構成の場合、制御部３２は、折り曲げ検出部３１により検出された開閉角度に基づいて接触位置を補正する。
例えば、折り曲げ検出部３１は、第１筐体１２と第２筐体１３の開閉角度を、１０度、２０度、３０度・・・１８０度と、１０度単位で検出する。
【００４２】
ここで、電子機器１の構成と、制御部３２によるタッチパネル２３の検出位置のずれの補正処理について説明する。
表示ユニット１１は、表示機能デバイスである表示部２１（例えば、フレキシブル液晶）と、入力デバイスであるタッチパネル２３の間に弾性体２２（例えば、ゲルシート）を挟み込んで一つのユニットを構成している。
【００４３】
表示ユニット１１の一端側１１ａは、第１筐体１２に取り付けられている。表示ユニット１１の他端側１１ｂは、ホルダ１３ｂに固定されている。
連結部１４には、折り曲げ検出部３１（例えば、角度センサ）が配置されている。折り曲げ検出部３１は、第２筐体１３を基準にして第１筐体１２の相対的な角度（以下、開閉角度という）を検出する。
【００４４】
電子機器１は、ホルダ１３ｂとレール１３ａにより構成されるスライド機構を採用するので、図７に示すように、開状態から閉状態に折り曲げられたときに、表示ユニット１１の円弧長分の長さＬを調整することができる。なお、長さＬは、第１筐体１２と第２筐体１３を合わせた厚さに相当する。
また、表示ユニット１１の厚さに起因する円弧長のずれ（２πｔ×θ／３６０）は、ゲルシートの変形により吸収する。なお、ｔは、表示ユニット１１の厚さである。
【００４５】
また、表示ユニット１１を屈曲させると、その厚さ分、表示部２１とタッチパネル２３との間にずれが生じ、表示部２１の表示に対するタッチパネル２３の検出位置がずれてしまう。
【００４６】
図８に示すように、タッチパネル２３は、表示部２１の表面に配置される検出部２３ａと、ｘ方向走査部２３ｂと、ｙ方向走査部２３ｃと、から構成されている。
ｘ方向走査部２３ｂは、検出部２３ａで検出したｘ方向の位置情報を制御部３２に供給する。
ｙ方向走査部２３ｃは、検出部２３ａで検出したｙ方向の位置情報を制御部３２に供給する。
【００４７】
制御部３２は、折り曲げ検出部３１から供給される検出値に基づいて、ｘ方向走査部２３ｂから供給されるｘ方向の位置情報と、ｙ方向走査部２３ｃから供給されるｙ方向の位置情報に対してそれぞれ補正を行う。なお、本実施例に係る電子機器１は、第１折り曲げ位置（図８中のＡ−Ａ）で折り曲げられるので、折り曲げによるｘ方向のずれはないが、第２折り曲げ位置（図８中のＢ−Ｂ）でも折り曲げられる構成の場合には、ｘ方向にもずれが生じる。以下では、ｙ方向のずれを補正する処理について説明する。
【００４８】
制御部３２は、折り曲げ検出部３１からの検出値を（１）式に代入して、ｙ方向の位置情報の補正量を計算する。
補正値＝２πｔ×θ／３６０＋Ｃ・・・（１）
なお、Ｃは、実機で測定した値が定数として代入される。
【００４９】
開状態の場合には、制御部３２は、折り曲げ検出部３１から供給される検出値が０度になるので、「Ｃ」が補正値となる。
また、閉状態の場合には、制御部３２は、折り曲げ検出部３１から供給される検出値が１８０度になるので、「πｔ＋Ｃ」が補正値となる。
【００５０】
なお、本実施例に係る電子機器１は、表示ユニット１１の一方端部を固定しているため、一方端部から他方端部に向かって離れるほどずれ量は大きくなる。制御部３２は、当該事由も考慮して補正を行う。
【００５１】
つぎに、電子機器１は、開状態及び閉状態において、表示ユニット１１が弛まないように規制する機構を備えている。以下に説明する。
電子機器１は、図９（ａ）、（ｂ）に示すように、第１筐体１２と第２筐体１３とが閉状態から開状態へ遷移する際に、ホルダ１３ｂを第２筐体１３の連結部１４に連結されていない側面方向に移動するように付勢する付勢部材４１を備える。
【００５２】
上述したように、表示ユニット１１は、表示機能デバイスである表示部２１（例えば、フレキシブル液晶）と、入力デバイスであるタッチパネル２３の間に弾性体２２（例えば、ゲルシート）を挟み込んで一つのユニットを構成している。
表示ユニット１１の一端側１１ａは、第１筐体１２に取り付けられている。表示ユニット１１の他端側１１ｂは、ホルダ１３ｂに固定されている。
【００５３】
付勢部材４１の一方端４１ａは、ホルダ１３ｂに取り付けられ、付勢部材４１の他方端４１ｂは、第２筐体１３に取り付けられている。なお、付勢部材４１の一方端４１ａは、第２筐体１３に取り付けられ、付勢部材４１の他方端４１ｂは、ホルダ１３ｂに取り付けられる構成でもよい。
【００５４】
ここで、電子機器１の全体を透過した斜視図を図１０（ａ）に示す。また、図１０（ａ）中のＡを拡大した図を図１０（ｂ）に示す。
付勢部材４１は、スプリングコイルを内蔵している。スプリングコイルは、閉状態から開状態に遷移する際に、図１０（ｂ）中の矢印Ｂと矢印Ｃの方向に作動力を発生する。ホルダ１３ｂは、閉状態から開状態に遷移する際に、スプリングコイルの反発力が加わりながら、図１０（ｂ）中の矢印Ｄの方向に移動する。
【００５５】
よって、電子機器１は、閉状態から開状態に遷移させるときに、付勢部材４１のスプリングによる反発力により、スムーズに遷移させることができる。
【００５６】
つぎに、電子機器１の全体を透過した斜視図を図１１（ａ）に示す。また、図１１（ａ）中のＥを拡大した図を図１１（ｂ）に示す。
付勢部材４１に内蔵されているスプリングコイルは、開状態から閉状態に遷移する際に、図１１（ｂ）中の矢印Ｆと矢印Ｇの方向に圧縮される。ホルダ１３ｂは、開状態から閉状態に遷移する際に、スプリングコイルの反発力に逆らう方向に力を加えながら図１１（ｂ）中の矢印Ｈの方向に移動する。
よって、電子機器１は、開状態から閉状態に遷移させるときに、急激に閉状態に遷移せず、安全かつ静穏に遷移させることができる。
【００５７】
また、電子機器１の全体を透過した斜視図を図１２（ａ）に示す。また、図１２（ａ）中のＩを拡大した図を図１２（ｂ）、（ｃ）に示す。図１２（ｂ）は、電子機器１の閉状態の様子を示す図であり、図１２（ｃ）は、電子機器１の閉状態から開状態へ遷移する途中の様子を示す図である。
【００５８】
連結部１４は、図１２（ｂ）、（ｃ）中のＪに示すように、閉状態においてホルダ１３ｂの凸部を保持する凹状のカムリンクが形成されている。
このような構成によれば、電子機器１は、ホルダ１３ｂの凸部が連結部１４のカムリンクに保持されることにより、閉状態を維持することができる。また、電子機器１は、閉状態において、ホルダ１３ｂの凸部をカムリンクから開放させるだけの外力が加わったときに、閉状態を解除して開状態に遷移する。
【００５９】
なお、スライド機構の付勢部材４１は、閉状態においても連結部１４の回転軸に対して多少角度をつけておいてもよい。そうすることで、連結部１４により形成されている凹状のカムリンクにホルダ１３ｂの凸部が保持された状態から解除された場合に、予め多少角度がつけられていることにより、スムーズに開状態へ遷移することができる。
【００６０】
以下に、本実施例に係る電子機器１が奏する効果を列挙する。
電子機器１は、レール１３ａとホルダ１３ｂから構成されるスライド機構のスライドに連動する付勢部材４１を備え、閉状態から開状態に遷移させるときに、付勢部材４１のスプリングの反発力により、スムーズに遷移させることができ、開状態から閉状態に遷移させるときに、急激に閉状態に遷移せず、安全かつ静穏に遷移させることができる。
【００６１】
電子機器１は、第１筐体１２と第２筐体１３の開閉角度に応じて付勢部材４１が移動し、スライド機構の動作を滑らかにする。
【００６２】
電子機器１は、連結部１４に形成されている凹状のカムリンクにホルダ１３ｂの凸部が保持されることにより、閉状態を安定して維持することができる。
電子機器１は、第１筐体１２と第２筐体１３の開閉角度を閉状態（例えば、０度）から所定の角度（例えば、２０度）まで変化させたときに、スライド機構の付勢部材４１の反発力が反転し、開状態の方向へホルダ１３ｂをスムーズに移動することができる。
【符号の説明】
【００６３】
１  電子機器
１１  表示ユニット
１２  第１筐体
１３  第２筐体
１３ａ  レール
１３ｂ  ホルダ
１４  連結部
２１  表示部
２２  弾性体
２３  タッチパネル
３１  折り曲げ検出部
３２  制御部
【図１】
2014165749.tif 000003
【図２】
2014165749.tif 000004
【図３】
2014165749.tif 000005
【図４】
2014165749.tif 000006
【図５】
2014165749.tif 000007
【図６】
2014165749.tif 000008
【図７】
2014165749.tif 000009
【図８】
2014165749.tif 000010
【図９】
2014165749.tif 000011
【図１０】
2014165749.tif 000012
【図１１】
2014165749.tif 000013
【図１２】
2014165749.tif 000014